(57)【要約】【課題】セキュリティシステムの送信機において、電池を覆うカバーは電池交換のために容易に取り外すことができ、しかも記憶部等を収納している蓋は容易に開けられないように固定し、セキュリティ性能を高める。【解決手段】送信機２は、ケース５１とカバー５２からなる筐体５と、電池カバー６を備えている。カバー５２は固着具７によってケース５１に固定されているので、容易に開けられずＩＤデータを容易に改変できず、セキュリティ性能が高くなる。電池カバー６は、カバー５２に係止される第１の係止片６ａと第２の係止片６ｂを有している。第２の係止片６ｂは、電池カバー６の裏面から突出しており、端部の第１の係止片６ａの方向に向いて突出した楔形状の突部６ｃを有している。電池カバー６が開かれるときには電池カバー６が撓み、突部６ｃがカバー５２との係止から外れ、電池カバー６が容易に取り外されるので、電池交換を容易に行なうことができる。【選択図】図３
2010098535.tif 000002
【特許請求の範囲】
【請求項１】
ＩＤデータの送受信を行ない、該ＩＤデータに基づいて電気錠の開閉を行うセキュリティシステムの送信機において、
前記ＩＤデータを記憶する記憶部と、
前記ＩＤデータの送信を行なう通信部と、
前記通信部の動作を制御する制御部と、
前記記憶部、通信部及び制御部に電源を供給する電池と、
前記記憶部、通信部及び制御部を収納する箱体と、
前記箱体の開口を覆い、かつ、前記電池を表面側に保持し、該箱体に固定具により固定される蓋と、
前記電池を覆い隠すように前記蓋に前記とは別の固定具により固定される可撓性材質で成るカバーと、を備え、
前記カバーは、該カバーの一端側から突出し前記蓋に係止される第１の係止片と、該カバーの裏面から突出し前記蓋に係止される第２の係止片と、を有し、
前記蓋は、前記第１の係止片を係止する第１の開口部と、前記第２の係止片を係止する第２の開口部と、を有し、
前記第１の係止片、第２の係止片、第１の開口部、及び第２の開口部は前記別の固定具を構成し、
前記カバーは、前記第１の開口部に係止させた前記第１の係止片を基点として回動させ、前記第２の係止片を前記第２の開口部に係止させることにより前記蓋に固定され、前記カバーの第２の係止片は、その先端側に前記第１の係止片のある方向に向いて突出し、前記第２の開口部に係止されたときの抜け止めとなる突部を有していることを特徴とするセキュリティシステムの送信機。
【請求項２】
前記蓋は電池を固定する電池ボックスを表面に有し、
前記蓋とカバーの間に前記電池ボックスを囲う防水パッキンを備え、
前記カバーの周縁は、前記蓋に向けて折り返されていることを特徴とする請求項１に記載のセキュリティシステムの送信機。
【発明の詳細な説明】
【技術分野】
【０００１】
本発明は、ＩＤデータを送受信するセキュリティシステムの送信機に関する。
【背景技術】
【０００２】
従来から、扉の施錠のセキュリティシステムにおいて、ユーザが所持する送信機からのＩＤデータを受信機によって受信し、認証されたＩＤデータを受信した場合のみ、電気錠を開にするセキュリティシステムが知られている。これらの送信機は、ＩＤデータを記憶する記憶部と、ＩＤデータの送信を行なう通信部と、通信部の動作を制御する制御部と、制御部等に電源を供給する電池とを有している。これらの送信機においては、ＩＤデータが改変されないように記憶部等を収納している筐体は容易に開けられないように専用の工具でないと開閉できないようになっているが、電池は簡単に交換できるようになっている。そのために、電池を収納しているカバーを送信機の筐体にワンタッチで着脱できるように、楔型の突出部を有した係止部をカバーに備えた送信機が知られている。しかしながら、このような送信機においては、係止部の筐体への係りが強すぎてカバーが外れなかったり、また、係りが弱すぎてカバーが直ぐに外れる虞がある。
【０００３】
また、ベース本体と蓋ケースの中に電池や電気回路や各種スイッチ等が収納され、ベース本体と蓋ケースが係合部で固定されているワイヤレス送信機が知られている（例えば特許文献１参照）。
【０００４】
しかしながら、特許文献１に示されるようなワイヤレス送信機においては、蓋ケースを開けるときに操作孔にドライバーの先端を差し入れなければならず、容易に電池を交換することができない。
【特許文献１】実開平１−８６３３１号公報
【発明の開示】
【発明が解決しようとする課題】
【０００５】
本発明は、上記問題を解消するものであり、電池を覆い隠すように蓋に固定されたカバーは、電池交換等のために容易に取り外すことができ、しかも記憶部等を収納する箱体の開口を覆う蓋は容易に開けられないように固定され、セキュリティ性能を高めたセキュリティシステムの送信機を提供することを目的とする。
【課題を解決するための手段】
【０００６】
上記目的を達成するために請求項１の発明は、ＩＤデータの送受信を行ない、該ＩＤデータに基づいて電気錠の開閉を行うセキュリティシステムの送信機において、前記ＩＤデータを記憶する記憶部と、前記ＩＤデータの送信を行なう通信部と、前記通信部の動作を制御する制御部と、前記記憶部、通信部及び制御部に電源を供給する電池と、前記記憶部、通信部及び制御部を収納する箱体と、前記箱体の開口を覆い、かつ、前記電池を表面側に保持し、該箱体に固定具により固定される蓋と、前記電池を覆い隠すように前記蓋に前記とは別の固定具により固定される可撓性材質で成るカバーと、を備え、前記カバーは、該カバーの一端側から突出し前記蓋に係止される第１の係止片と、該カバーの裏面から突出し前記蓋に係止される第２の係止片と、を有し、前記蓋は、前記第１の係止片を係止する第１の開口部と、前記第２の係止片を係止する第２の開口部と、を有し、前記第１の係止片、第２の係止片、第１の開口部、及び第２の開口部は前記別の固定具を構成し、前記カバーは、前記第１の開口部に係止させた前記第１の係止片を基点として回動させ、前記第２の係止片を前記第２の開口部に係止させることにより前記蓋に固定され、前記カバーの第２の係止片は、その先端側に前記第１の係止片のある方向に向いて突出し、前記第２の開口部に係止されたときの抜け止めとなる突部を有しているものである。
【０００７】
請求項２の発明は、請求項１に記載のセキュリティシステムの送信機において、前記蓋は電池を固定する電池ボックスを表面に有し、前記蓋とカバーの間に前記電池ボックスを囲う防水パッキンを備え、前記カバーの周縁は、前記蓋に向けて折り返されているものである。
【発明の効果】
【０００８】
請求項１の発明によれば、記憶部等を収納する箱体の開口を覆う蓋が箱体に固着具によって固定されるので、蓋を容易に開けることができず、ＩＤデータが容易に改変されることが防止される。このためセキュリティシステムのセキュリティ性能が高くなる。また、カバーが取り外されるときにはカバーを撓ませることにより、第２の係止片の突部が第２の開口部から外れる方向に変位し、第２の開口部から外れるので、容易にカバーを取り外すことができ、電池交換を容易に行なうことができる。
【０００９】
請求項２の発明によれば、電池ボックスが防水パッキンによって囲われているので、電池ボックスへの浸水が防止される。また、防水パッキンを挟むカバーの周辺が折り返されているので、カバーの剛性が向上し、カバーが蓋に強く固定されてもカバーの変形が少なくなり、従ってカバーと防水パッキンとの間に隙間が発生し難く、送信機の耐水性が向上する。
【発明を実施するための最良の形態】
【００１０】
（第１の実施形態）
本発明の第１の実施形態に係るセキュリティシステムについて図面を参照して説明する。図１はセキュリティシステムの構成を示す。セキュリティシステム１は、ユーザに所持されＩＤデータを送信するタグと呼ばれる送信機２と、送信機２から送信されたＩＤデータを読み取るタグリーダ３と、タグリーダ３にて判定されたデータを受信するコントローラ４１と、コントローラ４１によって開閉される電気錠扉４２と、を備えている。タグリーダ３は、ＩＤデータを読み取り認証されたデータか否かを判定するものであり、インターフェースＲＳ４８５等を経由してコントローラ４１に接続されている。コントローラ４１はイントラネット又は専用ＬＡＮを介してコンピュータ４３と接続されている。電気錠扉４２は許可されたユーザのみが入室できる部屋の入口扉に設置され、タグリーダ３は入口扉付近に設置される。タグリーダ３はＩＤデータが認証されたデータであるか否かを判定し、判定結果をコントローラ４１に送信する。コントローラ４１は判定結果がＯＫの場合には電気錠扉４２を開き、ＮＧの場合には電気錠扉４２を施錠された状態に保持する。コンピュータ４３は入室が制限された部屋の施錠を管理し、必要に応じて部屋の電気錠扉４２の開閉を行なう。
【００１１】
図２は上記のようなセキュリティシステム１における送信機２とタグリーダ３の各構成を示す。送信機２は、ＩＤデータを記憶する記憶部２１と、ＩＤデータをタグリーダ３に送信する通信部２２と、記憶部２１や通信部２２の動作を制御する制御部２３と、各部に電源を供給する電池２４と、ユーザにより操作され通信部２２にＩＤデータを送信するための送信釦２５を有している。通信部２２はＬＦ通信を行なうＬＦ帯送受信部２２ａと小電力無線信号を送信する小電力送信ＡＳＩＣ２２ｂを有している。タグリーダ３は、ＬＦ通信を行なうＬＦ帯送受信部３１と、小電力無線信号を受信する小電力受信部３２と、これらを制御する制御部３３と、を有する。
【００１２】
送信機２とタグリーダ３の間の通信は、ＬＦ通信帯（１３４ｋＨｚ帯）と特定小電力無線（４２６ＭＨｚ帯）とで行なわれる。送信機２がタグリーダ３から約１．５ｍ以内に入ると、通常スリープ状態にある送信機２は、タグリーダ３のＬＦ帯送受信部３１からのＬＦ起動信号をＬＦ帯送受信部２２ａで受信し起動する。起動した送信機２の制御部２３は、記憶部２１に記憶しているＩＤデータを小電力送信ＡＳＩＣ２２ｂからタグリーダ３へ送信する。タグリーダ３はＩＤデータを小電力受信部３２によって受信し、ＩＤデータが認証されたデータであるか否かを判定し、その結果をコントローラ４１へ送信する。このようにしてユーザがタグリーダ３に近づくだけで自動認証が行なわれ電気錠扉４２の開閉が行なわれる。また、ユーザが送信釦２５を押すと、制御部２３がＩＤデータを小電力送信ＡＳＩＣ２２ｂから送信し、手動認証が行なわれる。また、送信機２の電池２４の電圧が低下していても、送信機２をタグリーダ３から３０ｍｍ以内に近づけると、送信機２のＬＦ帯送受信部２２ａとタグリーダ３のＬＦ帯送受信部３１はＬＦ双方向通信を行なってＩＤデータを送受信し、近接認証（パッシブ認証）が行なわれる。
【００１３】
図３（ａ）（ｂ）は送信機２の外観を示し、図４及び図５は送信機２の分解構成を示す。送信機２は、筐体５と、筐体５に固定される電池カバー６（請求項でいうカバー）とを備える。電池カバー６が固定された筐体５は、全体として厚みの薄い直方体形状を成している。電池カバー６は筐体５に対して比較的容易に開閉自在とされている。筐体５は、ケース５１（請求項でいう箱体）と、ケース５１の開口を覆うカバー５２（請求項でいう蓋）とを有し、電池カバー６は、カバー５２に固定される。ケース５１の表面には送信釦２５が設けられている。筐体５及び電池カバー６は、例えば樹脂成形により構成される。
【００１４】
ケース５１は、記憶部２１、通信部２２、及び制御部２３を収納している。記憶部２１、通信部２２、及び制御部２３は基板２６に搭載されている。カバー５２は、ケース５１に固定具７によって固定される。固定具７は、例えばネジであって、頭部７１に三角形の凹部７２を有しており、三角形の凸形状を有した専用の工具でないとネジ締めが行なえない。これにより、容易にカバー５２が開けられてＩＤデータが改変されない。ケース５１は内底面に固定具７を受ける雌ねじ７３を有し、カバー５２は固定具７を通す貫通穴７４を有している。固定具７は貫通穴７４を貫通して雌ねじ７３に締め付けられる。カバー５２は、その上面（蓋の表面）側に電池ボックス５３を有しており、この電池ボックス５３に電池２４が固定され、電池２４はカバー５２の上側から交換することができるようになっている。電池カバー６は電池２４を覆い隠すようにカバー５２に固定される。
【００１５】
カバー５２は、電池カバー６を係止する第１の開口部５２ａと複数（この例では４つ）の第２の開口部５２ｂを有している。電池カバー６は、第１の開口部５２ａに挿入される第１の係止片６ａとそれぞれの第２の開口部５２ｂに係止される第２の係止片６ｂを有している。第１の係止片６ａは電池カバー６の端部から突出している。第２の係止片６ｂは、電池カバー６の裏面からカバー５２側に突出しており、第１の係止片６ａのある方向に向いて突出した楔形状の突部６ｃを有し、突部６ｃが第２の開口部５２ｂに挿し込まれることで係止される。この挿し込みは、電池カバー６及び第２の係止片６ｂの撓み得る材質及び形状により実現される。
【００１６】
図６（ａ）は電池カバー６が開かれた状態を、図６（ｂ）は電池カバー６が閉じられた状態を、図６（ｃ）は電池カバー６が撓んだ状態を示す。電池カバー６は、電池２４が交換されるときに開閉される。電池カバー６が閉じられるときは、図６（ａ）に示すように、電池カバー６の第１の係止片６ａが第１の開口部５２ａに挿入され、第１の係止片６ａを起点としてＡ方向に電池カバー６が回動され押圧される。すると、第２の係止片６ｂが第２の開口部５２ｂに挿入され、係止される。突部６ｃが第２の開口部５２ｂからの抜け止めとなる。
【００１７】
電池カバー６が開けられるときは、図６（ｂ）に示すように、第１の係止片６ａを起点にして電池カバー６の下端がＢ方向に回動される。このとき、図６（ｃ）に示すように、電池カバー６がＢ方向に撓むので、第２の係止片６ｂはＣ方向に変形し、突部６ｃが第２の開口部５２ｂとの係止から外れる。このＣ方向への変形は、第１の係止片６ａから離れた第２の係止片６ｂの方が第１の係止片６ａに近い第２の係止片６ｂより大きいので、第１の係止片６ａから離れた第２の係止片６ｂから順に第２の開口部５２ｂとの係止が外れ、容易に電池カバー６が開かれる。
【００１８】
上記のように構成された本実施形態の送信機２においては、記憶部２１等を収納するケース５１と、ケース５１の開口を覆うカバー５２が固着具７によって固定されるので、カバー５２を容易に開けることができず、ＩＤデータが容易に改変されることが防止される。このためセキュリティシステムのセキュリティ性能が高くなる。また、電池カバー６が取り外されるときには電池カバー６を撓ませることにより、第２の係止片６ｂの突部６ｃが第２の開口部５２ｂから外れる方向に変位し、第２の開口部５２ｂから外れるので、容易に電池カバー６を取り外すことができ、電池交換を容易に行なうことができる。また、４つの第２の係止片６ｂで係止しているので、電池カバー６をカバー５２に強く固定することができ、また、係止している力が４箇所に分散されるので、電池カバー６の係止による変形が少なくなる。
【００１９】
（第２の実施形態）
次に、本発明の第２の実施形態に係るセキュリティシステムの送信機２について図７（ａ）（ｂ）を参照して説明する。図７（ａ）は送信機２の分解構成を示し、図７（ｂ）は電池カバー６の裏側の外観を示す。第１の実施形態の送信機２と同一の構成については説明を省略する。本実施形態の送信機２は、第１の実施形態と異なり、電池ボックス５３及び基板２６を防水するための防水パッキン９１、９２を備えている。防水パッキン９１、９２は、水を通さない弾性体であり、例えばゴムより成っている。防水パッキン９１は、電池ボックス５３への浸水を防止するように電池ボックス５３を囲んで電池カバー６とカバー５２の間に設けられ、電池カバー６によってカバー５２に押圧される。電池カバー６の周縁６１ａは、カバー５２に向けて折り返されており、電池カバー６の剛性が増している。このため、電池カバー６がカバー５２に強く固定されても電池カバー６の変形が少なくなり、電池カバー６及びカバー５２と防水パッキン９１との間に隙間が発生し難くなるので、浸水が防止される。また、４つの第２の係止片６ｂで係止しているので防水パッキン９１の反発力を上回る力で電池カバー６をカバー５２に強く固定することができ、また、係止している力が４箇所に分散されるので、電池カバー６の係止による変形が少なくなり、浸水をさらに防止することができる。
【００２０】
防水パッキン９２は、基板２６への浸水を防止するように基板２６を囲んでカバー５２とケース５１との間に設けられ、カバー５２を介して固着具７によってケース５１に締め付けられる。ケース５１の周縁５１ａはカバー５２に向けて折り返されており、ケース５１の剛性が増している。このため、上述と同様に浸水が防止される。
【００２１】
上記のように構成された本実施形態の送信機２においては、上記実施形態による作用効果に加えて送信機２の耐水性が向上する。
【００２２】
（第３の実施形態）
次に、本発明の第３の実施形態に係るセキュリティシステムの送信機２について図８及び図９を参照して説明する。図８（ａ）（ｂ）は、送信機２の外観を示し、図９は送信機２の分解構成を示す。第２の実施形態の送信機２と同一の構成については説明を省略する。本実施形態の送信機２は、第２の実施形態とはカバー５２と電池カバー６の形状が異なる。カバー５２の上面は、電池２４が収納されている部分と固定具７がある部分とが段差の無い平面になっており、その平面全体が電池カバー６によって覆われる。第１の係止片６ａが第１の開口部５２ａに挿入され、第１の係止片６ａを基点として電池カバー６が回動されて押圧される。すると、第２の係止片６ｂが第２の開口部５２ｂに挿入され、係止される。電池カバー６が閉じられると、電池カバー６によって電池２４と固定具７が隠れる。
【００２３】
上記のように構成された本実施形態の送信機２においては、電池カバー６がカバー５２に取り付けられたときに、電池２４と固着具７とが電池カバー６によって隠れる。このように、固定具７が隠されてカバー５２の開け方が察知されなくなり、カバー５２を開け難くなるので、筐体５の内部の記憶部２１が有するＩＤデータが改変される虞が少なくなり、セキュリティ性が良くなる。また、固定具７が覆い隠されて外部から見えないので送信機２の意匠性が良くなる。
【００２４】
一方、電池カバー６をカバー５２に取り付ける第１の開口部５２ａ、第２の開口部５２ｂ、第１の係止片６ａ、及び第２の係止片６ｂの構成は、第２の実施形態と同じなので、電池交換は容易に行なうことができる。
【００２５】
なお、本発明は、上記各種実施形態の構成に限られず、発明の趣旨を変更しない範囲で種々の変形が可能である。例えば、固定具７がネジの場合、頭部７１は三角形の凹部以外の形状でもよい。また、固定具７はネジに限られず例えばピンでもよい。また、第２の係止片６ｂの先端の形状は楔形状でなく、突部６ｃが例えば球状に膨らんだような形状でもよい。また、防水パッキン９１、９２は電池カバー６やケース５１と同時に二色成形によって成形してもよい。
【図面の簡単な説明】
【００２６】
【図１】本発明の第１の実施形態に係るセキュリティシステムの構成図。
【図２】同セキュリティシステムの送信機とタグリーダの構成図。
【図３】（ａ）は同セキュリティシステムの送信機を斜め上方から見た外観図、（ｂ）は同送信機を斜め下方から見た外観図。
【図４】同送信機の分解斜視図。
【図５】（ａ）は同送信機のカバーを外したときの斜視図、（ｂ）は同送信機の第２の係止片の側面図。
【図６】（ａ）は同送信機のカバーを外したときの断面図、（ｂ）は同送信機のカバーを閉じたときの断面図、（ｃ）は同送信機のカバーの断面図。
【図７】（ａ）は本発明の第２の実施形態に係るセキュリティシステムの送信機の分解斜視図、（ｂ）は電池カバーの裏面の斜視図。
【図８】（ａ）は本発明の第３の実施形態に係るセキュリティシステムの送信機を斜め上方から見た外観図、（ｂ）は同送信機を斜め下方から見た外観図。
【図９】同送信機のカバーを外したときの斜視図。
【符号の説明】
【００２７】
１  セキュリティシステム
２  送信機
２１  記憶部
２２  通信部
２３  制御部
２４  電池
５１  ケース（箱体）
５２  カバー（蓋）
５２ａ  第１の開口部
５２ｂ  第２の開口部
６  電池カバー（カバー）
６ａ  第１の係止片
６ｂ  第２の係止片
６ｃ  突部
７  固定具
９１、９２  防水パッキン
【図１】
2010098535.tif 000003
【図２】
2010098535.tif 000004
【図３】
2010098535.tif 000005
【図４】
2010098535.tif 000006
【図５】
2010098535.tif 000007
【図６】
2010098535.tif 000008
【図７】
2010098535.tif 000009
【図８】
2010098535.tif 000010
【図９】
2010098535.tif 000011